(57)【特許請求の範囲】
【請求項１】
肌当接面側に表面シート、非肌当接面側に裏面シート及び両シート間に配置された吸収体を具備する縦長の吸収性本体を備え、該吸収性本体の長手方向両側にサイドフラップとして機能する一対のサイドフラップ部位を有する吸収性物品であって、
前記裏面シートの非肌当接面側における前記吸収体の配置領域に、前記吸収性本体を着衣に固定する第１粘着部が配されており、
一対の前記サイドフラップ部位における前記吸収性本体の長手方向に沿う両側縁は、互いに平行な直線状とされており、
一対の前記サイドフラップ部位それぞれは、前記吸収性本体の長手方向に前方部、中央部及び後方部を有し、該中央部の非肌当接面側に、該サイドフラップ部位を折り返して着衣に固定する第２粘着部が配されており、該第２粘着部は該中央部のみに配されており、
前記サイドフラップ部位の前記前方部及び前記後方部それぞれの少なくとも一部が、前記吸収性本体の長手方向に伸長性を有しており、
前記サイドフラップ部位の前記前方部及び前記後方部それぞれに、前記吸収性本体の幅方向に延び且つ該吸収性本体の長手方向に並列配置された複数のスリットが形成されており、
複数の前記スリットは、それぞれ、前記サイドフラップ部位の幅方向端部を除く部位に形成されていて、該幅方向端部には達しておらず、
前記サイドフラップ部位の前記中央部には前記スリットは形成されていない吸収性物品。
【請求項２】
前記表面シート及び前記裏面シートは、前記吸収体の長手方向の両側縁それぞれから幅方向外方に延出する延出部分を有し、一対の前記サイドフラップ部位がこれらの延出部分から構成されており、
前記吸収体は、前記吸収性物品の着用者の排泄部と対向する排泄部対向部において、その長手方向の両側縁が幅方向内側に括れた括れ部を有しており、前記吸収性物品は平面視して縦長の矩形形状をしており、
一対の前記サイドフラップ部位を構成する前記表面シートと前記裏面シートとの間に、少なくとも前記括れ部の両側縁を含む、前記吸収体の長手方向の両側縁に沿って、粘着剤塗布部が配されている請求項１記載の吸収性物品。
【発明の詳細な説明】
【技術分野】
【０００１】
本発明は、下着の股下部に固着させて使用する生理用ナプキン等の吸収性物品に関する。
【背景技術】
【０００２】
従来、液吸収性を有する吸収性本体の長手方向両側縁それぞれにフラップ（サイドフラップ）が延設されている生理用ナプキンが知られている。斯かる構成のナプキンは、使用時において、その吸収性本体が、該吸収性本体の非肌当接面側に配された粘着部を介して下着の股下部（クロッチ部）の肌当接面側に固着されると共に、そのフラップにおける該クロッチ部の縁部からの延出部分が、該クロッチ部の非肌当接面側に折り返され且つ該延出部分に配されている粘着部を介して該クロッチ部に固着される。フラップの主たる目的は、ナプキンを下着に安定的に固着させること、及びナプキンから液が漏れ出した場合に該液による下着の汚染を防止すること等である。
【０００３】
フラップを有する生理用ナプキンとして、特許文献１には、主本体部分と一対のフラップとを有し、該主本体部分の非肌当接面側に中央パッド接着剤が配され、該フラップの一部がナプキンの幅方向外方に更に延出して第２フラップ部分を形成している生理用ナプキンが記載されている（特に特許文献１の図１及び図２の記載等参照）。第２フラップ部分には、前記中央パッド接着剤と同じ側にフラップ接着剤が配されている。第２フラップ部分は適宜折り畳み可能になされており、これにより特許文献１に記載のナプキンは、折り畳まれていた第２フラップ部分を引き出して下着のクロッチ部の縁部に巻き付けた状態で使用する形態の他、第２フラップ部分を該縁部に巻き付けずに吸収性本体上で折り畳んだ状態で使用する形態をとることもできる。
【０００４】
また、特許文献２には、主体部分と一対のフラップとを有し、該主体部分の非肌当接面側に中央取り付け手段が配され、該フラップが、使用時に下着のクロッチ部の側縁に沿って折り畳まれて固着される第１フラップと使用時に折り畳まれずに該クロッチ部の肌当接面側に固着される第２フラップとを接続部を介して長手方向に接続することにより構成されており、該接続部に伸長性が付与されている生理用ナプキンが記載されている。第１フラップ及び第２フラップそれぞれには、前記中央取り付け手段と同じ側にフラップ粘着層が配されている。
【０００５】
【特許文献１】特表平８−５０４６４０号公報
【特許文献２】特開平１０−７１１７１号公報
【発明の開示】
【発明が解決しようとする課題】
【０００６】
近年、下着の形態が多様化しており、そのクロッチ部の幅（クロッチ幅）は狭いものから広いものまで様々である。特許文献１及び２に記載の如き従来の生理用ナプキンは、このようなクロッチ幅の多様化に充分に対応できないため、着用している下着によっては、ナプキンにヨレが発生し液漏れを引き起こすことがあった。具体的には例えば、特許文献１に記載の生理用ナプキンは、任意に引き出し可能な第２フラップ部分を有しているため、クロッチ幅の狭い下着に対しては、該第２フラップ部分を引き出さずにこれを吸収性本体上で折り畳んだ状態で使用することによって対応しているように思われるが、斯かる状態で使用した場合には、使用中に折り畳まれた状態の第２フラップ部分が使用者の動き等によって伸ばされてしまい、下着への十分な固定力を発現できず、これにより漏れが起こるおそれがある。また特許文献２に記載の生理用ナプキンは、本来クロッチ幅の広い下着用のナプキンであって、クロッチ幅の狭い下着に対しては、折り返し部分の粘着剤と吸収性本体の粘着剤との干渉による違和感や操作性の低下、さらには、従来の生理用ナプキンをクロッチ幅の広い下着に固着させて使用した場合と同様、クロッチ部に対するナプキンの固着力が不充分となり、これらの好ましくない現象によってナプキンにヨレが発生し、液漏れへと繋がることになる。クロッチ幅の異なる様々な下着に対応した生理用ナプキンは未だ提供されていない。
【０００７】
従って、本発明の目的は、クロッチ幅の異なる様々な下着に対して安定的に固着することができ、ヨレや液漏れを起こし難い吸収性物品を提供することにある。
【課題を解決するための手段】
【０００８】
本発明は、肌当接面側に表面シート、非肌当接面側に裏面シート及び両シート間に配置された吸収体を具備する縦長の吸収性本体を備え、該吸収性本体の長手方向両側にサイドフラップとして機能する一対のサイドフラップ部位を有する吸収性物品であって、前記裏面シートの非肌当接面側における前記吸収体の配置領域に、前記吸収性本体を着衣に固定する第１粘着部が配されており、一対の前記サイドフラップ部位における前記吸収性本体の長手方向に沿う両側縁は、互いに平行な直線状とされており、一対の前記サイドフラップ部位それぞれは、前記吸収性本体の長手方向に前方部、中央部及び後方部を有し、該中央部の非肌当接面側に、該サイドフラップ部位を折り返して着衣に固定する第２粘着部が配されている吸収性物品を提供することにより、前記目的を達成したものである。
【発明の効果】
【０００９】
本発明の吸収性物品は、クロッチ幅の異なる様々な下着に対して安定的に固着することができ、ヨレや液漏れを起こし難い。
【発明を実施するための最良の形態】
【００１０】
以下、本発明の吸収性物品を、その好ましい一実施形態である生理用ナプキンに基づき図面を参照して説明する。図１には、本発明の第１実施形態の生理用ナプキンをその裏面シート側からみた平面図が示されている。
【００１１】
第１実施形態のナプキン１は、図１に示すように、肌当接面側に位置する表面シート２、非肌当接面側に位置する裏面シート３、及び該両シート間２，３に配置された吸収体４を具備する縦長の吸収性本体５を備え、吸収性本体５の長手方向両側にサイドフラップとして機能する一対のサイドフラップ部位６，６を有している。サイドフラップは、縦長のナプキンの長手方向に沿った側部に位置し、且つ主として該ナプキンをショーツ、下着等の着衣に固定する固定手段として機能する部位である。ナプキン１は、図１に示すように平面視して角が丸みを帯びた縦長の矩形形状をしている。吸収体４はナプキン１の略中央部に位置している。
【００１２】
表面シート２及び裏面シート３は、吸収体４の長手方向の両側縁４ａ，４ａそれぞれから幅方向外方に延出する延出部分を有している。より具体的には、表面シート２及び裏面シート３は、吸収体４の外周縁から外方に延出し、延出した両シート２，３の外周縁によってナプキン１の外形（矩形形状）が形作られている。延出した両シート２，３は、接着剤やヒートシール等の接合手段によって互いに接合固定されている。一対のサイドフラップ部位６，６は、実質的に、これら両シート２，３の延出部分のみから構成されている。
【００１３】
本明細書において、「長手方向」は、吸収性物品又は吸収性本体等の各種部材の長辺に沿う方向（図１では上下方向）であり、「幅方向」は、該長手方向と直交する方向（図１では左右方向）である。また、「肌当接面」は、吸収性物品又は吸収性本体等の各種部材における、吸収性物品着用時に着用者の肌側に向けられる面であり、「非肌当接面」は、吸収性物品又は吸収性本体等の各種部材における、吸収性物品着用時に下着側（着用者の肌側とは反対側）に向けられる面である。
【００１４】
吸収体４は、平面視して縦長の形状をしており、ナプキン１の着用者の排泄部と対向する排泄部対向部において、その長手方向の両側縁４ａ，４ａが幅方向内側に括れた括れ部４ｂ，４ｂを有している。該排泄部対向部は、図１に示す如くナプキン１を平面状に広げた状態において、該ナプキン１を長手方向に略３等分するように３つの領域に区分したときの中央部であり、後述するサイドフラップ部位６の中央部６Ｂが存する領域である。このように、ナプキン１が平面視して矩形形状を有し（ナプキン１の長手方向の両側縁が該長手方向に沿った直線状であり）、且つ吸収体４の長手方向の両側縁４ａ，４ａが幅方向内側に括れた括れ部４ｂ，４ｂを有していることにより、サイドフラップ部位６における該括れ部４ｂが位置する部位（中央部６Ｂ）は、他の部位に比して幅広のサイドフラップとして機能する。
【００１５】
裏面シート３の非肌当接面側、即ち、裏面シート３の外面における吸収体４の配置領域（吸収体４と対向する領域）には、吸収性本体５を下着等の着衣に固定する第１粘着部７が配されている。第１粘着部７は、ホットメルト接着剤を塗布することにより形成されており、平面視して縦長の形状を有し、全体として長手方向中央部が内方に括れている。第１粘着部７は、その長手方向を吸収性本体５の長手方向に一致させて、吸収性本体５の略中央部に配されている。
【００１６】
第１粘着部７は、吸収体４の配置領域内に存していることが好ましい。第１粘着部７が吸収体４の配置領域を超えて存している場合、例えば第１粘着部７が吸収体４の長手方向前端及び／又は後端を跨いで存している場合は、ナプキン１の製造時において第１粘着部７の形成材料であるホットメルト接着剤の塗布不良が起こる、またこの塗布不良に起因して、ナプキンをショーツに固定して使用後、ショーツから脱着する際にホットメルト接着剤がショーツに残る等のおそれがある。第１粘着部７の長手方向の長さは、吸収体４の長手方向の長さ（吸収体４の長手方向の全長）に対して好ましくは７０〜９５％であり、第１粘着部７の幅方向の長さは、吸収体４の幅方向の長さ（吸収体４の幅方向の長さが一定でない場合は最大幅を有する部分の該最大幅）に対して好ましくは６０〜８５％である。また、通常、吸収体４の長手方向の長さは１３５〜２２０ｍｍ、幅方向の長さは４５〜８５ｍｍである。
【００１７】
一対のサイドフラップ部位６，６における吸収性本体５の長手方向に沿う両側縁６ａ，６ａは、互いに平行な直線状とされており、吸収体４の長手方向両側縁のように一部が内方に括れていたり（図１参照）、あるいは通常のウイング部付きのナプキンにおける該ウイング部のように一部が外方に突出したりしていない。また、一対のサイドフラップ部位６，６それぞれは、吸収性本体５の長手方向に前方部６Ａ、中央部６Ｂ及び後方部６Ｃを有している。前方部６Ａは、ナプキン着用時に着用者の腹部寄りの位置に配される部位であり、中央部６Ｂは、着用者の排泄部位に対向配置される部位であり、後方部６Ｃは、着用者の背中寄りの位置に配される部位である。第１実施形態における前方部６Ａ、中央部６Ｂ及び後方部６Ｃは、図１に示す如くナプキン１を平面状に広げた状態において、サイドフラップ部位６を長手方向に略３等分するように３つの領域に区分したときの各領域である。
【００１８】
そして、サイドフラップ部位６，６それぞれの中央部６Ｂの非肌当接面側、即ち、該中央部６Ｂの裏面シート３の外面には、サイドフラップ部位６を下着等の着衣に固定する第２粘着部８が配されている。第２粘着部８は、第１粘着部７と同様に、ホットメルト接着剤を塗布することにより形成されている。このように、第１実施形態のナプキン１は、該ナプキン１を着衣に固定するための粘着部として、吸収性本体５の非肌当接面側に配された第１粘着部７に加えて、サイドフラップ部位６の長手方向中央部６Ｂに配された第２粘着部８を有しており、これにより、クロッチ幅の異なる様々な下着に対して安定的に固着することができ、延いてはヨレや液漏れを効果的に防止することができる。即ち、例えば、クロッチ幅がナプキン１の幅よりも狭い下着のクロッチ部（股下部）５０に該ナプキン１を固着させる場合は、図２及び図３に示すように、クロッチ部５０の内面に第１粘着部７を介して吸収性本体５を固着させると共に、クロッチ部５０の縁部からはみ出した一対のサイドフラップ部位６，６それぞれを、該縁部に沿ってクロッチ部５０の外面側に折り返し且つ第２粘着部８を介して該外面に固着させることにより、ナプキン１はクロッチ部５０に安定的に固着する。また、クロッチ幅がナプキン１の幅と同じかそれよりも広い下着のクロッチ部に該ナプキン１を固着させる場合は、図２及び図３に示すようにサイドフラップ部位６，６を折り曲げずに図１に示すようにナプキン１を平面状に広げた状態で、第１粘着部７及び第２粘着部８，８をクロッチ部の内面に固着させることにより、ナプキン１は該クロッチ部に安定的に固着する。何れの場合も、ナプキン１がクロッチ部にしっかりと固着するため、ヨレや液漏れが発生しにくい。
【００１９】
第１実施形態における第２粘着部８は、平面視して縦長の矩形形状を有しており、その長手方向を吸収性本体５の長手方向に一致させて、サイドフラップ部位６の長手方向中央部６Ｂに配されている。第２粘着部８は、サイドフラップ部位６の側縁６ａから５〜１０ｍｍ以内の領域に配されることが、特にクロッチ幅がナプキンの幅よりも狭いショーツへ固着する際、そのクロッチ部の側面側に折り返す操作性のしやすさの点で好ましい。第２粘着部８の長手方向の長さは、吸収体４の長手方向の長さ（吸収体４の長手方向の全長）に対して好ましくは２０〜４５％であり、第２粘着部８の幅方向の長さは、吸収体４の幅方向の長さ（吸収体４の幅方向の長さが一定でない場合は最大幅を有する部分の該最大幅）に対して好ましくは４〜１０％である。
【００２０】
第１実施形態のナプキン１においては、一対のサイドフラップ部位６，６それぞれの前方部６Ａ及び後方部６Ｃそれぞれの一部が、吸収性本体５の長手方向に伸長性を有している。より具体的には、各サイドフラップ部位６の前方部６Ａ及び後方部６Ｃそれぞれに、吸収性本体５の幅方向に延び且つ吸収性本体５の長手方向に並列配置された複数（図１では３本）のスリット９が形成されており、これによりスリット９の形成領域（スリット９を含むその近傍）に、吸収性本体５の長手方向への伸長性が付与されている。スリット９は、ナプキン１を厚み方向に貫通している切れ込み（細隙）である。スリット９が吸収性本体５の幅方向に延びていると、サイドフラップ部位６を該幅方向と直交する吸収性本体５の長手方向に伸長させたときにスリット９の幅が広がるため、スリット９の形成領域全体が該長手方向に伸長されるようになる。
【００２１】
このように、第２粘着部８の前後に位置する前方部６Ａ及び後方部６Ｃそれぞれの少なくとも一部が、吸収性本体５の長手方向に伸長性を有していることにより、サイドフラップ部位６をその長手方向の全体に亘って折り曲げ易くなる。これにより、クロッチ幅がナプキン１の幅よりも狭い下着のクロッチ部に該ナプキン１を固着させる場合、該ナプキン１が該クロッチ部の内面に沿って配されることによってその長手方向において肌当接面側に凹状に湾曲している状態であっても、図２に示すようにサイドフラップ部位６をその長手方向の全体に亘ってきれいに該クロッチ部の外面側に折り返すことが可能となり、ナプキン１のクロッチ部への固着安定性が一層高められると共に、クロッチ部の縁部領域の内面側に位置するナプキン１の両側部の身体に対するフィット性が高められる。
【００２２】
これに対し、前方部６Ａ及び後方部６Ｂが吸収性本体５の長手方向に伸長性を全く有していないと、ナプキン１がその長手方向において肌当接面側に凹状に湾曲している状態でサイドフラップ部位６をクロッチ部の外面側に折り返したときに、サイドフラップ部位６の中央部６Ｂと前方部６Ａ及び後方部６Ｃそれぞれとの境界やその近傍等に発生する、サイドフラップ部位６の折り返しに起因する歪みにより、サイドフラップ部位６をその長手方向の全体に亘ってきれいに折り返すことが難しくなるため、ナプキン１のクロッチ部への固着安定性が低下し、良好なフィット性が得られないおそれがある。また、前方部６Ａ及び後方部６Ｃが吸収性本体５の幅方向に伸長性を有していると、ナプキン１がその長手方向において肌当接面側に凹状に湾曲している状態でサイドフラップ部位６をクロッチ部の外面側に折り返し、ショーツを身体に引き上げる際、サイドフラップ部位６の中央部６Ｂと前方部６Ａ及び後方部６Ｃそれぞれとの境界やその近傍等には、ナプキンの長手方向に引張る力が生じるため、長手方向に伸長性を全く有していない場合と同様に、サイドフラップ部位６の折り返しに起因する歪みにより、サイドフラップ部位６をその長手方向の全体に亘ってきれいに折り返すことが難しくなるため、ナプキン１のクロッチ部への固着安定性が低下し、良好なフィット性が得られないおそれがある。上記のように前方部６Ａ及び後方部６Ｃそれぞれに長手方向への伸長性を付与することは、このようなサイドフラップ部位６の折り曲げに起因する歪みの緩和に有効である。
【００２３】
第１実施形態においては、吸収体４の平面視における形状が、その長手方向中央部に括れ部を有する砂時計状であるため、特に、該括れ部の前後に位置する、吸収体４の最大幅部分（吸収体４における幅方向外方に最も突出している部分）及びその近傍に、上述したサイドフラップ部位６の折り曲げに起因する歪みが発生しやすい。そこで、前方部６Ａ及び後方部６Ｃの一部に伸長性を付与する場合には、このような歪みが発生しやすい領域におけるサイドフラップ部位６（吸収性本体５の長手方向において吸収体４の最大幅部分及びその近傍と同位置にあるサイドフラップ部位６）に、スリット９を施す等により、伸長性を付与することが好ましい。
【００２４】
尚、上述したサイドフラップ部位６の折り曲げに起因する歪みは、吸収体４が砂時計状である場合の他に、例えば、１）ナプキン１の肌当接面側（表面シート２側）に、表面シート２と吸収体４とが圧着によって一体化して形成され且つナプキン１の幅方向に延びる溝が形成されている場合や、２）吸収体４の長手方向中央部の厚みを吸収体４の他の部分の厚みよりも大きくするなどして、ナプキン１の長手方向中央部を肌当接面側に突出させることにより中高部が形成されている場合、等にも発生しやすい。特に、前記１）においては、前記溝に沿って前記歪みが発生しやすく、前記２）においては、前記中高部におけるナプキン長手方向の前後端部及びそれらの近傍において前記歪みが発生しやすい。そこで、前方部６Ａ及び後方部６Ｃの一部に伸長性を付与する場合において、前記１）の場合には、吸収性本体５の長手方向において前記溝及びその近傍と同位置にあるサイドフラップ部位６に、また前記２）の場合には、吸収性本体５の長手方向において前記中高部の前後端部及びそれらの近傍と同位置にあるサイドフラップ部位６に、それぞれスリット９を施す等により、伸長性を付与することが好ましい。
【００２５】
ナプキン１を図１に示す如く平面状に広げた状態において、各スリット９における吸収性本体５の幅方向に沿った長さ（スリットの長さ）は、サイドフラップ部位６の該幅方向の長さ（サイドフラップ部位６の幅方向の長さが一定でない場合は最大幅を有する部分の該最大幅）に対して、好ましくは５〜２０％、更に好ましくは１０〜１５％ある。また、上記状態において、隣り合うスリット９，９の間隔は、好ましくは６０〜９０ｍｍ、更に好ましくは７０〜８０ｍｍである。また、前方部Ａ及び後方部Ｃそれぞれにおけるスリット９の本数は、特に制限されないが、好ましくは５〜１５本である。また、スリット９の長さは１０〜３０ｍｍが好ましく、スリット９の幅（スリット９における吸収性本体５の長手方向に沿った長さ）は５〜１５ｍｍが好ましい。
【００２６】
サイドフラップ部位６の前方部６Ａ及び後方部６Ｃそれぞれに伸長性を付与する場合、該伸長性は高過ぎないこと、即ち、高伸長性を付与せずに低伸長性を付与することが好ましい。前方部６Ａ及び後方部６Ｃに高伸長性を付与すると、ナプキン１の着用時にサイドフラップ部位６の中央部６Ｂを摘んでクロッチ部の縁部に沿って折り返した時に、折り返す時の力がサイドフラップ部位６の全体に伝わりにくくなる。その結果、折り返しに起因する歪みが緩和されにくく、サイドフラップ部位６をその長手方向の全体に亘ってきれいにクロッチ部の外面側に折り返すことが困難になるおそれがある。
【００２７】
上述したように、前方部６Ａ及び後方部６Ｃそれぞれには低伸長性を付与することが好ましく、具体的には、次の測定法による前方部６Ａ及び後方部６Ｃそれぞれの伸長率が１０％以下であることが好ましい。即ち、前方部６Ａの伸長率の測定を、図１に示す如く該前方部６Ａにスリットが形成されている場合を例にとると、図１に示す如くナプキンを平面状に広げた状態において、スリット形成領域のナプキン長手方向に沿った長さα、即ち、ナプキンの長手方向一端に最も近いスリットと長手方向他端に最も近いスリットとの間の距離αを定規で測定する。また、このナプキンのサイドフラップ部位を下着のクロッチ部の外面側に折り返して該ナプキンを該下着に固定した状態において、スリット形成領域のナプキン長手方向に沿った長さβ（固定状態における、ナプキンの長手方向一端に最も近いスリットと長手方向他端に最も近いスリットとの間の距離β）を定規で測定する。こうして求めた長さαとβとから、前方部の伸長率（％）を次式により算出する。    伸長率＝｛（β−α）／α｝×１００    スリットが形成されている後方部６Ｃの伸長率についても、上記と同様の手順で求めることができる。
【００２８】
また、前方部６Ａにスリットが形成されていない場合、該前方部６Ａの伸長率は次のようにして求められる。一般的な下着（クロッチ部における最も幅狭な部位の幅が５０〜７０ｍｍ程度のもの）のクロッチ部の内面に吸収性本体５を図２に示す如く固定し、該クロッチ部の外面側に折り返される部位と折り返されない部位とをそれぞれ決定する。クロッチ部の外面側に折り返される部位における、そのナプキン長手方向前端からナプキン長手方向に沿って３０ｍｍ内方までに亘る領域を前方部Ａとし、折り返された該前方部Ａのナプキン長手方向の長さを測定し、該長さの伸長率（％）を算出する。スリットが形成されていない後方部６Ｃの伸長率についても、上記と同様の手順で求めることができる。スリットが形成されていない後方部６Ｃは、クロッチ部の外面側に折り返される部位における、そのナプキン長手方向後端からナプキン長手方向に沿って３０ｍｍ内方までに亘る領域とする。
【００２９】
前方部６Ａ及び後方部６Ｃそれぞれに伸長性を付与する方法としては、上述の如きスリットを設ける方法以外の方法を採用することもできる。例えば、ロール表面に凹凸を有する熱ロール間にサイドフラップ部位の構成材料を通して該構成材料に凹凸形状を付与する方法や、サイドフラップ部位の構成材料として弾性材料を使用する方法を採用することができる。該弾性材料としては、通常吸収性物品に用いられる弾性糸や弾性フィルム等を特に制限なく用いることができる。
【００３０】
次に、第１実施形態のナプキン１の構成材料等について説明する。表面シート２、裏面シート３、吸収体４としては、それぞれ従来のこの種の吸収性物品において用いられているものを特に制限なく用いることができる。表面シート２としては、例えば、親水化処理が施された各種不織布や開孔フィルム等の液透過性のシートを用いることができる。裏面シート３としては、例えば、熱可塑性樹脂のフィルム（ポリエチレンフィルム等）や、該フィルムと不織布とのラミネート等の液不透過性又は撥水性のシートを用いることができ、水蒸気透過性を有するものを用いることもできる。吸収体４としては、例えば、パルプ繊維を堆積させて得られた積繊層、パルプ繊維を原料とする不織布からなるものを用いることができる。吸収体４は超吸収性ヒドロゲル粒子を含有していても良い。また、吸収体４は、ティッシュペーパー等の紙や各種不織布等のシート材によってその全体が被覆されていても良い。
【００３１】
表面シート２及び裏面シート３は、上述したように吸収体４の側縁４ａより延出されてサイドフラップ部位を構成しており、該サイドフラップ部位において両シート２，３が固定されている。両シート２，３の固定には、接着剤、ヒートシール法による熱的固定、超音波シール法等の手段を単独又は複合して用いることができる。特に、接着剤を用いる場合には、その接着剤塗布部を吸収体４の長手方向に沿った形状とし、且つ接着剤塗布量を部分的に異ならせる等して、接着力に部分的に強弱をつけた接着剤塗布を行うことが好ましく、またヒートシール法を用いる場合には、両シート２，３の接合時に裏面シート３の微小な収縮を発現させることが好ましい。これらの固定方法を用いると、サイドフラップ部位を下着の外面側により一層曲げやすくできる。このサイドフラップ部位を曲げやすくする効果は、両シート２，３の固定部位を吸収体４の側縁４ａから離間させるほど発現させやすい。また同条件による両シート間の固定であっても、図１に示す如く吸収体４に括れを形成した排泄領域（長手方向中央領域）では、サイドフラップ部位を曲げやすくする効果が発現するが、長手方向前後領域では該効果が発現しない構成とすることが可能である。
【００３２】
図４には、本発明の吸収性物品の第２実施形態のナプキンが示されている。第２実施形態については、上述した第１実施形態のナプキン１と異なる構成部分を主として説明し、同様の構成部分は同一の符号を付して説明を省略する。特に説明しない構成部分は、第１実施形態のナプキン１についての説明が適宜適用される。
【００３３】
第２実施形態のナプキン１は、平面視して縦長の矩形形状をしており、表面シート２及び裏面シート３が、吸収体４の長手方向の両側縁４ａ，４ａそれぞれから幅方向外方に延出する延出部分を有し、サイドフラップ部位６，６がこれら両シート２，３の延出部分から構成されている。また吸収体４は、ナプキン１の着用者の排泄部と対向する排泄部対向部（中央部６Ｂ）において、その長手方向の両側縁４ａ，４ａが幅方向内側に括れた括れ部４ｂ、４ｂを有している。第２実施形態の上述した構成は、第１実施形態と同じである。
【００３４】
第２実施形態においては、一対のサイドフラップ部位６，６を構成する表面シート２と裏面シート３との間に、少なくとも括れ部４ｂ，４ｂの両側縁（排泄部対向部に位置する吸収体４の両側縁）を含む、吸収体４の長手方向の両側縁４ａ，４ａに沿って、粘着剤塗布部１０が配されている。粘着剤塗布部１０は、第１粘着部７や第２粘着部８の形成材料であるホットメルト接着剤等を塗布することにより形成されている。図４に示す第２実施形態においては、サイドフラップ部位６の前方部６Ａ、中央部６Ｂ（括れ部４ｂが位置する部位）及び後方部６Ｃそれぞれに、吸収性本体５の長手方向に延びる直線状の粘着剤塗布部１０が配されている。前方部６Ａ、中央部６Ｂ及び後方部６Ｃそれぞれの粘着剤塗布部１０は互いに繋がっておらず、不連続に配されている。また、中央部６Ｂに配されている粘着剤塗布部１０は、他の部位に配されている粘着剤塗布部１０に比して、その長手方向の長さが長くなっている。ナプキン１の着用時においてサイドフラップ部位６をクロッチ部の外面側に折り返す際、上述した第１実施形態のナプキン１では吸収体４の側縁４ａが折り返しの起点となっていたが、第２実施形態では粘着剤塗布部１０が折り返しの起点として作用する。第２実施形態によっても第１実施形態と同様の効果が奏される。
【００３５】
本発明の吸収性物品は、前記実施形態に制限されるものではなく、本発明の趣旨を逸脱しない範囲において種々変形可能である。例えば、前記実施形態では、第１粘着部７及び第２粘着部８は、何れも接着剤が連続的に塗布されて形成されていたが、接着剤が不連続に塗布されて形成されていても良い。また、ナプキン１は、その肌当接面側（表面シート２側）に、表面シート２と吸収体４とが圧着によって一体化して形成された溝が形成されていても良く、また、上述した中高部が形成されていても良い。
【００３６】
また、ナプキン１の平面視における形状（外形）は、図１に示す如き矩形形状に制限されず、例えばナプキン１の長手方向前後端が長手方向外方に向けて凸状に湾曲していても良い。また、前記実施形態では、本発明の吸収性物品の適用例の一つとして生理用ナプキンを挙げたが、例えばパンティライナー（おりものシート）等の吸収性物品にも適用できる。前述した各構成は、適宜組み合わせることができる。
【図面の簡単な説明】
【００３７】
【図１】図１は、本発明の吸収性物品の一実施形態である生理用ナプキンの非肌当接面側（裏面シート側）を示す平面図である。
【図２】図２は、図１に示すナプキンを下着の股下部に固着させた状態を該下着の内面側からみた平面図である。
【図３】図３は、図２におけるＩ−Ｉ線断面の模式図である。
【図４】図４は、本発明の他の実施形態の図１相当図である。
【符号の説明】
【００３８】
１  生理用ナプキン（吸収性物品）
２  表面シート
３  裏面シート
４  吸収体
４ａ  吸収体の側縁
４ｂ  吸収体の括れ部
５  吸収性本体
６  サイドフラップ部位
６ａ  サイドフラップ部位の側縁
６Ａ  サイドフラップ部位の前方部
６Ｂ  サイドフラップ部位の中央部
６Ｃ  サイドフラップ部位の後方部
７  第１粘着部
８  第２粘着部
９  スリット
１０  粘着部塗布部
５０  下着のクロッチ部（股下部）
【図１】
0005155730.tif 000002
【図２】
0005155730.tif 000003
【図３】
0005155730.tif 000004
【図４】
0005155730.tif 000005